(57)【特許請求の範囲】
【請求項１】
筐体内に、外気と内気を熱交換する全熱交換素子と、外気を屋内に前記全熱交換素子を経て導入する導入送風機と、内気を屋外に前記全熱交換素子を経て排出する排出送風機とを備えた外気処理空気調和機において、
前記各送風機の駆動モーターを前記筐体の一側面を構成する側板に対向配置させるとともに前記各駆動モーターと前記側板との間に、駆動モーターのメンテナンス作業を行うメンテナンススペースを形成し、
前記側板に、前記各駆動モーターをそれぞれ前記筐体の外部に露出させる開口と、前記各駆動モーターに臨む前記開口をそれぞれ塞ぐとともに前記開口に着脱可能に配置したメンテナンスパネルとを設け、一方の前記駆動モーターに臨むメンテナンスパネルに、前記筐体に設けられた電装部品を制御する制御基板を収容した電装箱を取り外し自在に配置した、
ことを特徴とする外気処理空気調和機。
【請求項２】
前記全熱交換素子の外気出口側に、前記全熱交換素子を通過した空気と冷媒との熱交換を行う熱交換器を設け、前記熱交換器に繋がる冷媒管に、膨張弁を前記側板に寄せて設けたことを特徴とする請求項１に記載の外気処理空気調和機。
【請求項３】
前記全熱交換素子の外気出口側に、前記全熱交換素子を通過した空気を加湿する加湿器と、前記加湿器への給水を制御する加湿器制御部とを設け、前記加湿器制御部を、前記電装箱が設けられた開口の近傍において前記側板に取り付けたことを特徴とする請求項１又は２に記載の外気処理空気調和機。
【請求項４】
前記外気処理空気調和機は、天井裏空間において、該天井裏空間を構成する天井板の点検口が前記電装箱の近傍に位置するよう設置されることを特徴とする請求項１から３のいずれかに記載の外気処理空気調和機。
【請求項５】
前記加湿器制御部は、制御基板を備え、この制御基板が前記電装箱に収容された前記制御基板に接続されることを特徴とする請求項３又は４に記載の外気処理空気調和機。
【発明の詳細な説明】
【技術分野】
【０００１】
本発明は、外気を調温して屋内へ供給する外気処理空気調和機に関する。
【背景技術】
【０００２】
一般に、屋内空気を屋外に排出するとともに、外気を、屋内空気を熱源として温度調和して屋内に導入する、いわゆる外調機（外気処理空気調和機）が知られている（例えば、特許文献１参照）。外気処理空気調和機は、一般に、外気を吸い込んで屋内に供給する導入用の経路と内気を吸い込んで屋外に排出する排出用の経路との、２つの送風経路が設けられ、それぞれの経路に対応する２以上の送風機を備えている。
【先行技術文献】
【特許文献】
【０００３】
【特許文献１】特開２００３−１８５２９１号公報
【発明の概要】
【発明が解決しようとする課題】
【０００４】
一般に、外気処理空気調和機において、上述した複数の送風機や、これら送風機を制御し、或いはこれら送風機に駆動電流を供給する電装箱は、重要な機能部品である。このため、容易にメンテナンスができるように、効率よく配置することが望ましいが、天井裏空間等の限られたスペースに設置される外気処理空気調和機において、送風機をメンテナンスしやすい場所に設けた上で電装箱の設置場所を確保することは難しかった。
そこで、本発明の目的は、複数の送風機を備えた外気処理空気調和機において、これら複数の送風機、及び、これら送風機の動作に係る基板を収容した電装箱を、容易にメンテナンスできる状態で効率よく配置することにある。
【課題を解決するための手段】
【０００５】
上記目的を達成するために、本発明は、筐体内に、外気と内気を熱交換する全熱交換素子と、外気を屋内に前記全熱交換素子を経て導入する導入送風機と、内気を屋外に前記全熱交換素子を経て排出する排出送風機とを備えた外気処理空気調和機において、前記各送風機の駆動モーターを前記筐体の一側面を構成する側板に対向配置させるとともに前記各駆動モーターと前記側板との間に、駆動モーターのメンテナンス作業を行うメンテナンススペースを形成し、前記側板に、前記各駆動モーターをそれぞれ前記筐体の外部に露出させる開口と、前記各駆動モーターに臨む前記開口をそれぞれ塞ぐとともに前記開口に着脱可能に配置したメンテナンスパネルとを設け、一方の前記駆動モーターに臨むメンテナンスパネルに、前記筐体に設けられた電装部品を制御する制御基板を収容した電装箱を取り外し自在に配置した、ことを特徴とする。
【０００６】
上記構成において、前記全熱交換素子の外気出口側に、前記全熱交換素子を通過した空気と冷媒との熱交換を行う熱交換器を設け、前記熱交換器に繋がる冷媒管に、膨張弁を前記側板に寄せて設けた構成としてもよい。さらに、前記全熱交換素子の外気出口側に、前記全熱交換素子を通過した空気を加湿する加湿器と、前記加湿器への給水を制御する加湿器制御部とを設け、前記加湿器制御部を、前記電装箱が設けられた開口の近傍において前記側板に取り付けた構成としてもよい。
【０００７】
また、前記外気処理空気調和機は、天井裏空間において、該天井裏空間を構成する天井板の点検口が前記電装箱の近傍に位置するよう設置される構成としてもよい。また、前記加湿器制御部は、制御基板を備え、この制御基板が前記電装箱に収容された前記制御基板に接続される構成としてもよい。
【発明の効果】
【０００８】
本発明によれば、外気処理空気調和機において外気を屋内に全熱交換素子を経て導入する導入送風機又は内気を屋外に全熱交換素子を経て排出する排出送風機の少なくともいずれかの駆動モーターのメンテナンススペースが臨む開口に、取り外し自在に電装箱を配置したので、駆動モーター及び電装箱を、容易にメンテナンス可能な状態で、限られたスペースに効率よく配置できる。
【図面の簡単な説明】
【０００９】
【図１】本実施の形態にかかる外気処理空気調和機の内部構造を示す斜視図である。
【図２】外気処理空気調和機の平面図である。
【図３】外気処理空気調和機の側断面図である。
【図４】外気処理空気調和機の要部構成を示す拡大斜視図である。
【図５】外気処理空気調和機から全熱交換素子を含む各部を引き出した状態を示す分解斜視図である。
【発明を実施するための形態】
【００１０】
以下、図面を参照して本発明の一実施の形態について説明する。
図１は、本実施の形態にかかる外気処理空気調和機の内部構造を示す斜視図であり、図２は、外気処理空気調和機の平面図であり、図３は、外気処理空気調和機の側断面図である。この図１及び図２では筐体の上面パネルを省略している。
【００１１】
外気処理空気調和機１０は、図１に示すように、略直方体形状の筐体１１を備え、この筐体１１の長手方向に対向する一対の側面パネル１１ａ、１１ｂのうち、屋内側の側面パネル１１ａには、図２に示すように、屋内側吸込口１２と屋内側吹出口１３とが形成され、屋外側の側面パネル１１ｂには屋外側吸込口１４と屋外側吹出口１５とが形成されている。これら各吸込口及び各吹出口には、それぞれダクト（不図示）が接続され、これらダクトを介して屋内もしくは屋外の空間に連通している。また、外気処理空気調和機１０は、筐体１１の４隅に固着された吊金具１６を備え、これら吊金具１６は、ビル等の建築物の躯体から垂下された吊りボルト（不図示）に止着され、筐体１１が上記躯体と天井板との間の天井裏空間に吊り下げられるように構成される。
また、天井板には、図１に示すように、外気処理空気調和機１０を保守、点検するための２つの点検口２０、２０が形成され、本実施の形態では、これら点検口２０、２０は、外気処理空気調和機１０の筐体１１の長手方向に延びる一対の側面パネル１１ｃ、１１ｄのうち、一方の側面パネル１１ｃに沿って並設されている。側面パネル（側板）１１ｃを構成するメンテナンスパネル２３には、外気処理空気調和機１０の動作を制御する制御基板２９（図４）を収容した電装箱２１が一体に取り付けられている。
【００１２】
外気処理空気調和機１０は、筐体１１内に外気調温用の全熱交換ユニット３０と、この全熱交換ユニット３０に接続される空調ユニット６０とを備えて構成されている。具体的には、筐体１１内は、上記した側面パネル１１ａ、１１ｂと略平行に設けられた仕切壁１７により屋外側と屋内側とに区分けされ、屋外側の空間に全熱交換ユニット３０が収容されている。屋内側の空間は、屋内側吸込口１２と屋内側吹出口１３との間に設けられた仕切壁１８により、さらに区分けされ、屋内側吹出口１３に連通する空間には空調ユニット６０が収容されている。この空調ユニット６０は、仕切壁１７に設けられた給気開口１７ａを通じて全熱交換ユニット３０と連なっている。
屋内側吸込口１２に連通する空間では、図２に示すように、仕切壁１７に、後述する排出経路３４、バイパス経路３９にそれぞれ連なる排気開口１７ｂ、バイパス開口１７ｃが設けられるとともに、これら排気開口１７ｂ、バイパス開口１７ｃの一方を閉塞して、屋内側吸込口１２から吸い込まれた内気ＲＡを排出経路３４もしくはバイパス経路３９に切換えて流すためのダンパユニット８０が配置されている。このダンパユニット８０は、略Ｌ字形状に折り曲げられ、排気開口１７ｂ、バイパス開口１７ｃの一方を開放し、他方を閉塞するダンパ板８１と、このダンパ板８１を回動させるダンパモーター８２とを備える。ダンパユニット８０が有するダンパモーター８２は、電装箱２１に収容された制御基板２９（図４）に接続され、制御基板２９の制御に従って動作する。ダンパモーター８２は、例えばステッピングモーターにより構成され、制御基板２９からダンパモーター８２には駆動電流と駆動パルスとが入力される。
【００１３】
全熱交換ユニット３０は、図２に示すように、内気ＲＡと外気ＯＡとの顕熱の熱交換を行う全熱交換素子３１と、この全熱交換素子３１の屋外側に設けられた排気ファン（排出送風機）４０Ｂと、当該全熱交換素子３１の屋内側に設けられた給気ファン（導入送風機）４０Ａと、筐体１１と協働して、内気ＲＡを屋外に全熱交換素子３１を経て排出する排出経路３４及び外気ＯＡを屋内に全熱交換素子３１を経て導入する導入経路３５を形成する風路形成体３６とを備える。この風路形成体３６は、発泡樹脂製の複数の部材を組み合わせて形成されており、平面視で全熱交換素子３１に対して左右対称となるように筐体１１内に配置されている。また、本構成では、全熱交換ユニット３０には、筐体１１及び風路形成体３６との協働により、内気ＲＡを屋外に全熱交換素子３１をバイパスして排出するバイパス経路３９が形成されている。
【００１４】
全熱交換素子３１は、図３に示すように、略正四角柱状に形成されており、空気の吸込口又は吹出口となる４つの側面３１ａ〜３１ｄが筐体１１の上面パネル１１ｅ及び底面パネル１１ｆに対して傾斜した姿勢で、筐体１１の幅方向に延びて配置されている。具体的には、筐体１１の上面パネル１１ｅ、底面パネル１１ｆ及び風路形成体３６の全熱交換素子３１に対向する面には、それぞれ筐体１１の幅方向に延びる断面コ字形状のレール部材３７Ａ〜３７Ｄが設けられ、これらレール部材３７Ａ〜３７Ｄによって、全熱交換素子３１の各側辺部が支持されている。これによれば、筐体１１内は、全熱交換素子３１の４つの側面３１ａ〜３１ｄにそれぞれ連なる４つの空間３８ａ、３８ｂ、３８ｃ、３８ｄに区分けされる。
【００１５】
風路形成体３６、筐体１１の底面パネル１１ｆ及び全熱交換素子３１で形成された２つの空間３８ａ、３８ｂのうち、全熱交換素子３１の屋外側下方に位置する側面３１ａに連なる空間３８ａは、風路形成体３６を介して屋外側吸込口１４に連通するので、空間３８ａが外気吸込経路となり、全熱交換素子３１の側面３１ａが吸込口となる。また、全熱交換素子３１の屋内側下方に位置する側面３１ｂに連通する空間３８ｂは、排気開口１７ｂ及びダンパユニット８０（図１）を介して屋内側吸込口１２に連通するので、空間３８ｂが内気吸込経路となり、全熱交換素子３１の側面３１ｂが吸込口となる。
【００１６】
一方、全熱交換素子３１の上側の側面３１ｃ、３１ｄは、風路形成体３６の外側に露出しており、風路形成体３６、筐体１１の上面パネル１１ｅ及び全熱交換素子３１で形成された２つの空間３８ｃ、３８ｄのうち、全熱交換素子３１の屋外側上方に位置する側面３１ｃに連なる空間３８ｃは、排気ファン４０Ｂを介して屋外側吹出口１５に連通している。このため、この空間３８ｃが排気通路となり、全熱交換素子３１の側面３１ｃが吹出口となる。また、全熱交換素子３１の屋内側上方に位置する側面３１ｄに連なる空間３８ｄは、給気ファン４０Ａ及び空調ユニット６０を介して屋内側吹出口１３に連通しているので、この空間３８ｄが給気通路となり、全熱交換素子３１の側面３１ｄが吹出口となる。
【００１７】
全熱交換素子３１は、蛇行状に折り曲げた折り曲げ紙に平板状紙をのせ、その上に、上記折曲げ紙とはその折り曲げ方向を変えた折り曲げ紙を重ねるようにして、これら折曲げ紙と平板状紙とを順次積層させて構成されている。このため、全熱交換素子３１の４つの側面３１ａ〜３１ｄにおいては、相対向する側面どうしが連通するようになっている。すなわち、側面３１ａと側面３１ｃ及び側面３１ｂと側面３１ｄは共に連通している。従って、本実施の形態では、屋外側吸込口１４と屋内側吹出口１３との間は、外気吸込経路３８ａと給気通路３８ｄとが全熱交換素子３１を介して連通して導入経路３５を形成する一方、屋内側吸込口１２と屋外側吹出口１５との間は内気吸込経路３８ｂと排気通路３８ｃとが全熱交換素子３１を介して連通して排出経路３４を形成している。
【００１８】
風路形成体３６は、図１に示すように、全熱交換素子３１の屋内側に形成され、この全熱交換素子３１から仕切壁１７の給気開口１７ａに向けて下方に窪んだ屋内側凹部３６Ａと、全熱交換素子３１の屋外側に形成され、この全熱交換素子３１から側面パネル１１ｂの屋外側吹出口１５に向けて下方に窪んだ屋外側凹部３６Ｂとを備え、屋内側凹部３６Ａには給気ファン４０Ａが配置され、屋外側凹部３６Ｂには排気ファン４０Ｂが配置されている。
排気ファン４０Ｂは、屋外側凹部３６Ｂにて筐体１１の側面パネル１１ｂの屋外側吹出口１５に対応する位置に取り付けられる一方、給気ファン４０Ａは、屋内側凹部３６Ａにて仕切壁１７に形成された給気開口１７ａに連通し、側面パネル１１ａの屋内側吹出口１３に対応する位置に取り付けられている。
【００１９】
給気ファン４０Ａは、略円筒形のケーシング４１Ａに、複数のフィンを備えた円筒形の回転羽根４２Ａを収容して構成されるシロッコファンであり、回転羽根４２Ａを回転駆動するファンモーター（駆動モーター）５０Ａが取り付けられる。本実施の形態の回転羽根４２Ａは、回転軸方向の両端面に設けられた吸気口４４Ａ、４５Ａから屋内側凹部３６Ａの空気を吸気して、側面方向に設けられた吹出口４３Ａから後述する空調ユニット６０に向けて送風する両吸込型である。回転羽根４２Ａには、軸方向のどちらの端部からもファンモーター５０Ａを固定でき、ファンモーター５０Ａは、吸気口４４Ａ側と吸気口４５Ａ側とのどちらにも取付可能である。本実施の形態では、筐体１１への設置状態において側面パネル１１ｃに対向する吸気口４４Ａに、ファンモーター５０Ａが配置されている。
排気ファン４０Ｂも同様に、ケーシング４１Ｂ内に回転羽根（不図示）を収容した両吸込型のシロッコファンであり、ケーシング４１Ｂの両側面に設けられた吸気口４４Ｂ、４５Ｂから屋外側凹部３６Ｂ内の空気を吸い込み、吹出口（不図示）から屋外側吹出口１５を通じて送風する。排気ファン４０Ｂにおいては、筐体１１への設置状態において側面パネル１１ｃに対向する吸気口４４Ｂに、回転羽根を回転駆動するファンモーター（駆動モーター）５０Ｂが設けられている。
【００２０】
本実施の形態では、ファンモーター５０Ｂ、５０Ａは、図１に示すように天井板に設けられた２つの点検口２０、２０側に位置する側面パネル１１ｃに向けて設けられている。ファンモーター５０Ａと側面パネル１１ｃとの間には、ファンモーター５０Ａのメンテナンス作業を行うための空間であるメンテナンススペース４６Ａが形成され、同様にファンモーター５０Ｂと側面パネル１１ｃとの間にはメンテナンススペース４６Ｂが形成されている。これらメンテナンススペース４６Ａ、４６Ｂは、開口１９ｃ、１９ａを塞ぐメンテナンスパネル２３、２４を側面パネル１１ｃから取り外すことで露出し、この状態でファンモーター５０Ａ、５０Ｂにアクセスできる。
【００２１】
次に、空調ユニット６０について説明する。
空調ユニット６０は、導入経路３５を通じて屋内に供給される外気を冷房または暖房するものであり、図３に示すように、室内熱交換器（熱交換機）６１と、加湿器６２と、これら室内熱交換器６１及び加湿器６２から流下するドレン水を受けるドレンパン６３とを備える。室内熱交換器６１は、膨張弁６４（図２）を有する冷媒管を介して、圧縮機及び熱源側熱交換器を備えた空気調和装置の室外ユニット（不図示）に接続されており、冷房運転時には、蒸発器として機能して外気を冷却して屋内に供給し、暖房運転時には凝縮器として機能して外気を加温して屋内に供給する。
また、空調ユニット６０は、室内熱交換器６１の一端に膨張弁６４を介して接続された液冷媒配管接続口６５と、室内熱交換器６１の他端に接続されたガス冷媒配管接続口６６とを備え、これら液冷媒配管接続口６５及びガス冷媒配管接続口６６は、図１に示すように、上記点検口２０、２０側に位置する筐体１１の側面パネル１１ｃを貫通している。
【００２２】
加湿器６２は、室内熱交換器６１の外気の流れの下流側に設けられ、保水性の高い加湿エレメント（不図示）に水を吸収させるとともに、この加湿エレメントに外気を通過させることにより、この外気を加湿する。
この加湿器６２には、給水接続口６７を有する加湿器制御箱（加湿器制御部）６８が設けられ、この加湿器制御箱６８内には、図示はしないが、給水接続口６７から供給された水の圧力を所定の圧力まで減じる減圧弁と、この減圧された水を加湿エレメントに供給するために開閉する電磁弁と、この電磁弁の動作を制御する制御基板とが設けられている。
本実施の形態では、加湿器制御箱６８は、図１に示すように、上記点検口２０、２０側に位置する筐体１１の側面パネル１１ｃに設けられている。加湿器制御箱６８の制御基板は電装箱２１内の制御基板２９（図４）に接続され、制御基板２９から電源及び制御信号の入力を受けて電磁弁を駆動する。
また、側面パネル１１ｃには、当該側面パネル１１ｃの下方位置に、上記したドレンパン６３で受けたドレン水を外部に排出するためのドレン管接続口６９が設けられている。このドレン管接続口６９は、ドレンパン６３からドレン水を自然排水する際にドレン管が接続されるものである。なお、符号７０もドレン管接続口であり、このドレン管接続口７０は、ドレンパン６３からドレンポンプ６３Ａ（図２）を利用して排水する場合に使用される。このドレン管接続口７０が使用される場合には、自然排水用のドレン管接続口６９は封止される。
【００２３】
図４は、外気処理空気調和機１０の電装箱２１近傍を示す要部拡大斜視図であり、電装箱２１及びメンテナンスパネル２３は分解した状態として図示する。
この図４に示すように、電装箱２１は、開口１９ｃを塞ぐメンテナンスパネル２３にビス等により一体として取り付けられ、メンテナンスパネル２３から取り外すことができる。また、電装箱２１の表面には蓋２１ａがビス等により固定され、この蓋２１ａを開放すると、電装箱２１内の収容空間に収められた制御基板２９が露出する。
制御基板２９は、外気処理空気調和機１０が備える電装部品に対して動作電源を供給するとともに、その動作を制御する各種回路を実装している。例えば、制御基板２９の表面、すなわち蓋２１ａ側の面には、ファンモーター５０Ａ、５０Ｂ、ドレンポンプ６３Ａ、ダンパモーター８２、加湿器制御箱６８、後述する膨張弁６４等を動作させるタイミングや、動作量等を演算したり、切換を行ったりする制御回路（不図示）が実装される。
これら制御対象の電装部品は、その大半が筐体１１の内部に収容されている。このため、メンテナンスパネル２３には、筐体１１内の電装部品から制御基板２９への配線を通すための配線孔２３ａが形成されている。また、電装箱２１の側面には、制御基板２９から、筐体１１の外の商用電源（不図示）や空気調和装置の室外ユニット（不図示）に繋がる配線を通すための配線孔２１ｃが形成されている。
【００２４】
また、制御基板２９の裏面、すなわちメンテナンスパネル２３側の面には、ファンモーター５０Ａ、５０Ｂ、ドレンポンプ６３Ａ、後述する膨張弁６４、加湿器制御箱６８、ダンパモーター８２等へ電源を供給するための電源回路（不図示）を備えている。
制御基板２９の制御回路および電源回路には、ファンモーター５０Ａ、５０Ｂ、ドレンポンプ６３Ａ、ダンパモーター８２、加湿器制御箱６８、膨張弁６４等の各々に繋がる多数の配線が、配線孔２３ａを通じて多数の配線が導かれ、制御基板２９に接続されている。電装箱２１は筐体１１の内部において室内側に位置しており、図２に示すように、ファンモーター５０Ａ、ドレンポンプ６３Ａ、ダンパモーター８２、加湿器制御箱６８、膨張弁６４の各部も室内側に位置しているため、これら電装部品の近くに電装箱２１が位置している。これにより、制御基板２９から制御対象の電装部品までの配線長を短くすることができ、筐体１１の内部における配線の取り回しを容易にしている。
【００２５】
また、制御基板２９が有する電源回路は、大電流を必要とするファンモーター５０Ａ、５０Ｂを駆動可能な容量を有し、動作中には無視できない発熱がある。本実施の形態では、蓋２１ａを含む電装箱２１の一部または全部が、熱伝導性に優れた金属（鉄、ステンレス、アルミニウム等）で構成されるため、制御基板２９が発する熱を容易に放熱できる。さらに、電装箱２１が固定されるメンテナンスパネル２３を、例えば上記の熱伝導性に優れた金属で構成すれば、制御基板２９の熱がメンテナンスパネル２３にも伝達され、効率よく放熱される。さらにまた、メンテナンスパネル２３は、ファンモーター５０Ａのメンテナンススペース４６Ａに面して配置される。上述のように給気ファン４０Ａは両吸込型のシロッコファンであり、ファンモーター５０Ａは吸気口４４Ａに設けられるため、メンテナンススペース４６Ａ内の空気を吸い出して室内へ送風する。従って、メンテナンスパネル２３の裏面側では、給気ファン４０Ａにより気流が発生しているので、メンテナンスパネル２３に伝わった熱は速やかに放熱される。つまり、メンテナンスパネル２３を介して、制御基板２９が発する熱が速やかに、より効率よく放熱されるので、制御基板２９及び制御対象の各電装品の長寿命化を図り、長期にわたって安定して外気処理空気調和機１０を運転できる。
【００２６】
図５は、外気処理空気調和機１０において、全熱交換素子３１を含む各部を引き出した状態を示す分解斜視図である。なお、この図５においては加湿器６２が有するエレメントの図示を省略する。
本実施の形態では、筐体１１の側面パネル１１ｃには、図１に示すように、全熱交換素子３１に対応する位置に着脱自在なメンテナンスパネル２２が設けられている。このほか、側面パネル１１ｃには、上述したように電装箱２１と一体に取り付けられたメンテナンスパネル２３がメンテナンスパネル２２に並べて配置され、メンテナンスパネル２３の反対側にはメンテナンスパネル２４が配置される。さらに、側面パネル１１ｃには、液冷媒配管接続口６５、ガス冷媒配管接続口６６、及びドレン管接続口６９の近傍に位置するメンテナンスパネル２５と、加湿器制御箱６８に一体に取り付けられたメンテナンスパネル２６とが配置されている。これらメンテナンスパネル２２〜２６は、いずれも側面パネル１１ｃに対して着脱可能であり、図５はメンテナンスパネル２２〜２６を取り外した状態を示している。メンテナンスパネル２２〜２６は、それぞれ、ボルトやビスにより側面パネル１１ｃに着脱可能に固定される。
【００２７】
上述のように、全熱交換素子３１は、筐体１１内に配置された４つのレール部材３７Ａ〜３７Ｄにより、当該全熱交換素子３１の側辺部が支持されている。このため、図５に示すように、メンテナンスパネル２２を外すことにより、点検口２０から全熱交換素子３１を筐体１１の幅方向（図５中Ｘ方向）に簡単に抜き差しでき、この全熱交換素子３１の交換等のメンテナンス作業を容易に行うことができる。さらに、本実施の形態では、全熱交換素子３１は、２つに分割して収容されているため、点検口２０からの作業であっても、全熱交換素子３１を簡単に筐体１１から抜き差しできる。
【００２８】
また、上述のように、電装箱２１と一体のメンテナンスパネル２３は、給気ファン４０Ａのファンモーター５０Ａに対向しており、電装箱２１とともにメンテナンスパネル２３を取り外すと、図５に示すように開口１９ｃが開き、この開口１９ｃからファンモーター５０Ａが露出する。また、メンテナンスパネル２４は排気ファン４０Ｂのファンモーター５０Ｂに対向した位置にあり、メンテナンスパネル２４を取り外すと開口１９ａが開き、この開口１９ａからファンモーター５０Ｂが露出する。このため、ファンモーター５０Ａ、５０Ｂに対しては、開口１９ｃ、１９ａからメンテナンスを行うことができ、必要に応じて、ファンモーター５０Ａ、５０Ｂを開口１９ｃ、１９ａから取り出すことも可能である。このように、側面パネル１１ｃ側から、ファンモーター５０Ａ、５０Ｂのいずれに対してもメンテナンス作業を行うことができる。
【００２９】
さらに、メンテナンスパネル２２、２３、２４とともに側面パネル１１ｃに設けられたメンテナンスパネル２５を取り外すと、開口１９ｄが開き、この開口１９ｄから、液冷媒配管接続口６５、ガス冷媒配管接続口６６及びドレン管接続口６９に繋がる筐体１１内部の配管が露出する。このため、各接続口６５、６６、６９と、各接続口に繋がる配管のメンテナンスを、側面パネル１１ｃ側から行うことができる。
また、加湿器６２は、側面パネル１１ｃに着脱可能に設けられたメンテナンスパネル２６の内側に一体に取り付けられ、メンテナンスパネル２６の外側には加湿器制御箱６８が取り付けられている。この加湿器制御箱６８、加湿器６２は、メンテナンスパネル２６とともに筐体１１の外に引き出すことが可能であり、エレメント（不図示）の清掃や交換等のメンテナンスを側面パネル１１ｃ側から行える。
【００３０】
このように、本実施の形態の外気処理空気調和機１０においては、ファンモーター５０Ａ、５０Ｂに対向する位置において、側面パネル１１ｃにはメンテナンスパネル２３、２４が着脱可能に配設されている。そして、一方のメンテナンスパネル２３には、電装箱２１が一体に設けられ、メンテナンスパネル２３、２４の近傍には点検口２０、２０が位置している。このため、点検口２０を通じて外気処理空気調和機１０が設置された天井裏空間にアクセスし、電装箱２１のメンテナンスを容易に行うことができ、さらにメンテナンスパネル２３、２４を外すことで、ファンモーター５０Ａ、５０Ｂのメンテナンスが可能な状態を速やかに実現できる。これにより、電装箱２１及び２つのファンモーター５０Ａ、５０Ｂのメンテナンス性を大幅に高めることができる。
さらに、加湿器６２と加湿器制御箱６８とを一体に備えたメンテナンスパネル２６、さらに、冷媒配管やドレン配管の接続口、加湿器の給水管の接続口のメンテナンス用のメンテナンスパネル２５、及び電装箱２１を、側面パネル１１ｃに設けたため、これら各部位に点検口２０から簡単にアクセスでき、天井裏空間に入り込まなくても当該部位のメンテナンスを容易に行うことができる。
【００３１】
上記した外気処理空気調和機１０では、ダンパユニット８０のダンパ板８１を、排気開口１７ｂを開放しバイパス開口１７ｃを閉塞した状態とし、排気ファン４０Ｂを駆動することによって、内気ＲＡは屋内側吸込口１２から筐体１１内に吸い込まれた後、排出経路３４を通って屋外側吹出口１５から排気ＥＡとして屋外に排出される。一方、給気ファン４０Ａを駆動することによって、外気ＯＡは屋外側吸込口１４から筐体１１内に吸い込まれた後、導入経路３５を通って全熱交換素子３１に至り、この全熱交換素子３１にて内気ＲＡと熱交換をする。そして、この熱交換した外気ＯＡは、空調ユニット６０に至り、この空調ユニット６０の室内熱交換器６１にて冷却または加熱され、さらに必要に応じて加湿器６２にて加湿された後に、屋内側吹出口１３から給気ＳＡとして屋内に供給される。
また、暖房運転時に外気温度よりも室温が低い場合、もしくは、冷房運転時に外気温度よりも室温が高い場合には、ダンパユニット８０のダンパ板８１を、排気開口１７ｂを閉塞してバイパス開口１７ｃを開放した状態とすることにより、内気ＲＡは屋内側吸込口１２から筐体１１内に吸い込まれた後、全熱交換素子３１と通過しないバイパス経路３９を通って屋外側吹出口１５から排気ＥＡとして屋外に排出される。このため、空調ユニット６０の冷暖房負荷を軽減でき、省資源、省エネルギー化を図ることができる。
【００３２】
以上、本実施の形態によれば、筐体１１内に、外気と内気を熱交換する全熱交換素子３１と、外気を屋内に全熱交換素子３１を経て導入する給気ファン４０Ａと、内気を屋外に全熱交換素子３１を経て排出する排気ファン４０Ｂとを備えた外気処理空気調和機１０において、給気ファン４０Ａのファンモーター５０Ａのメンテナンススペース４６Ａが臨む開口１９ｃを筐体１１の側面パネル１１ｃに形成し、この開口１９ｃに、取り外し自在に電装箱２１を配置したので、電装箱２１を取り外すだけで、ファンモーター５０Ａのメンテナンススペース４６Ａにアクセスでき、ファンモーター５０Ａのメンテナンスの作業負担を軽減できる。また、電装箱２１を着脱可能にすることで電装箱２１のメンテナンス性を高めるとともに、電装箱２１を開口１９ｃに設けることで電装箱２１の設置スペースを容易に確保でき、ファンモーター５０Ａ、５０Ｂ及び電装箱２１を、容易にメンテナンス可能な状態で配置でき、ひいては外気処理空気調和機１０の小型化を図ることも可能である。
この構成において、電装箱２１を、排気ファン４０Ｂのファンモーター５０Ｂのメンテナンススペース４６Ｂに臨む開口１９ａに設けることも勿論可能であり、ファンモーター５０Ｂと電装箱２１とをメンテナンスが容易な状態で効率よく配置できるという効果が得られ、電装箱２１が点検口２０の近傍に位置するのでメンテナンスに係る作業負担を軽減きる。また、電装箱２１からファンモーター５０Ａ（５０Ｂ）への配線長を短くすることができ、筐体１１における配線の取り回しが容易になる。
【００３３】
また、本実施の形態では、側面パネル１１ｃの開口１９ｃにメンテナンスパネル２３を着脱可能に配置し、このメンテナンスパネル２３に電装箱２１を一体に取り付けたので、電装箱２１を開口１９ｃから容易に着脱できる上、メンテナンスパネル２３が金属等の熱伝導性の高い材料で構成すれば、メンテナンスパネル２３を介して、電装箱２１に収容された制御基板２９の熱を効率よく放熱できる。
【００３４】
さらにまた、給気ファン４０Ａ及び排気ファン４０Ｂは両吸込型のシロッコファンで構成され、ファンモーター５０Ａ、５０Ｂは、吸気口４４Ａ、４４Ｂに取り付けられる。このため、側面パネル１１ｃを介した電装箱２１の反対側では給気ファン４０Ａによる気流が発生しているので、電装箱２１の熱が、開口１９ｃを塞ぐメンテナンスパネル２３を介して効率よく放熱される。特に、電装箱２１に収容される制御基板２９は、メンテナンスパネル２３側の面においてファンモーター５０Ａを駆動するための電源回路（不図示）を有するので、この電源回路の発熱を効率よく放熱することで、制御基板２９及び外気処理空気調和機１０の各部の長寿命化を図り、長期にわたって安定して外気処理空気調和機１０を運転できる。
【００３５】
さらに、側面パネル１１ｃには、給気ファン４０Ａ及び排気ファン４０Ｂの各々のファンモーター５０Ａ、５０Ｂのメンテナンススペース４６Ａ、４６Ｂが臨む開口１９ａ、１９ｃをそれぞれ形成し、いずれか一方の開口１９ｃに電装箱２１を取り外し自在に配置したので、ファンモーター５０Ａ、５０Ｂ及び電装箱２１を容易にメンテナンス可能な状態で効率よく配置できる。
【００３６】
また、上記実施の形態では、全熱交換素子３１の外気出口側に、全熱交換素子３１を通過した空気と冷媒との熱交換を行う室内熱交換器６１を設け、室内熱交換器６１に繋がる冷媒管に、膨張弁６４を側面パネル１１ｃに寄せて設けているので、電装箱２１に収容された制御基板２９から膨張弁６４への配線長を短くすることができ、配線の取り回しが容易になる。
さらに、実施の形態では、全熱交換素子３１の外気出口側に、全熱交換素子３１を通過した空気を加湿する加湿器６２と、加湿器６２への給水を制御する加湿器制御箱６８とを設け、加湿器制御箱６８を、電装箱２１が設けられた開口１９ｃの近傍において側面パネル１１ｃに取り付けたので、制御基板２９から加湿器制御箱６８への配線長を短くすることができ、配線の取り回しが容易になる。また、外気処理空気調和機１０は、天井裏空間において、該天井裏空間を構成する天井板の点検口２０が電装箱２１の近傍に位置するよう設置されるので、点検口２０から電装箱２１へ容易にアクセスしてメンテナンスを行うことができる。さらに、電装箱２１を取り外して開口１９ｃを露出させれば、点検口２０から直接、メンテナンススペース４６Ａにアクセスして、ファンモーター５０Ａのメンテナンスを行うことができる。これにより、電装箱２１とともにファンモーター５０Ａのメンテナンス性を大幅に高めることができる。
また、外気処理空気調和機１０は、屋内側吸込口１２から吸い込まれた内気ＲＡを排出経路３４もしくはバイパス経路３９に切換えて流すためのダンパユニット（ダンパ機構）８０を有し、ダンパユニット８０のダンパ板８１を回動させるダンパモーター８２が、電装箱２１側に設けられた構成となっているので、電装箱２１内の制御基板２９からダンパモーター８２への配線長が短くて済み、配線の取り回しがより一層容易になる。
【００３７】
以上、本発明を上記実施の形態に基づいて説明したが、本発明はこれに限定されるものではない。例えば、本実施の形態では、全熱交換素子３１を２つに分割して筐体１１内に収容していたが、これに限るものではない。また、筐体１１の幅に対して全熱交換素子３１の幅（能力）が小さくてよい場合には、全熱交換素子３１の側方に、発泡樹脂で四角柱状に形成したスペーサーを配置しても良い。さらに、上記実施の形態では、電装箱２１が、メンテナンスパネル２３に固定された構成を例示したが、本発明はこれに限定されるものではなく、メンテナンスパネル２３が電装箱２１の一面を構成するものとしてもよい。すなわち、電装箱２１の底面がメンテナンスパネル２３を兼ねる構成としてもよく、その他の外気処理空気調和機１０の細部構成についても任意に変更可能である。
【符号の説明】
【００３８】
１０  外気処理空気調和機
１１  筐体
１１ｃ  側面パネル（側板）
１９ａ、１９ｂ、１９ｃ、１９ｄ  開口
２０  点検口
２１  電装箱
２２、２３、２４、２５、２６  メンテナンスパネル
３０  全熱交換ユニット
３１  全熱交換素子
３４  排出経路
３５  導入経路
４０Ａ  給気ファン（導入送風機）
４０Ｂ  排気ファン（排出送風機）
４６Ａ、４６Ｂ  メンテナンススペース
５０Ａ、５０Ｂ  ファンモーター（駆動モーター）
６０  空調ユニット
６２  加湿器
６３Ａ  ドレンポンプ
６４  膨張弁
６８  加湿器制御箱（加湿器制御部）
６１  室内熱交換器（熱交換器）
８０  ダンパユニット
８２  ダンパモーター
ＥＡ  排気
ＯＡ  外気
ＲＡ  内気
ＳＡ  給気
【図１】
0005449950.tif 000002
【図２】
0005449950.tif 000003
【図３】
0005449950.tif 000004
【図４】
0005449950.tif 000005
【図５】
0005449950.tif 000006